(57)【要約】【課題】容器の交換作業を容易にでき、かつポンプのポンプ本体を上部の高い位置で維持しながら作業を行うことができるポンプ支持装置を提供する。【解決手段】ポンプ支持装置Ａは、ドラム缶等の容器Ｃ内に収容されたガソリン・灯油・軽油・水等の内容物を吸い上げるためのポンプＰを上部で支持するものであり、本体１と、本体１に設けられ、容器Ｃの注入口Ｃ１に挿入されるポンプＰの吸上パイプ２を移動可能にガイドするとともに、ポンプＰのポンプ本体５を固定するガイド部材３と、本体１の上部に設けられ、ポンプＰを上側に持ち上げた状態で支持する支持部材４とを有する。【選択図】  図１
2015030515.tif 000002
【特許請求の範囲】
【請求項１】
容器内の内容物を吸い上げるポンプを支持するポンプ支持装置において、
本体と、
前記本体に設けられ、前記容器の注入口に挿入される前記ポンプの吸上パイプを移動可能にガイドするとともに、前記ポンプのポンプ本体を固定するガイド部材と、
前記本体の上部に設けられ、前記ポンプを上側に持ち上げた状態で支持する支持部材と、
を有することを特徴とするポンプ支持装置。
【請求項２】
前記ガイド部材には、前記ポンプ本体に設けられた第１の締結部と締結される第２の締結部を有することを特徴とする請求項１に記載のポンプ支持装置。
【請求項３】
前記支持部材は、前記本体の上部に固定して取り付けられた第１の支持杆と、その第１の支持杆に嵌合される第２の支持杆と、その第２の支持杆の側面に固定して取り付けられ、前記ポンプを支持する支持アームとを有することを特徴とする請求項１又は２に記載のポンプ支持装置。
【請求項４】
前記第１の支持杆の側面に前記第２の支持杆を位置決めするための突起部が設けられ、前記第２の支持杆には前記突起部が挿入可能な切り欠き部が形成されていることを特徴とする請求項３に記載の記載のポンプ支持装置。
【請求項５】
前記第１の支持杆の上部には、前記第２の支持杆の上側外面に当接する抜け止め部が設けられていることを特徴とする請求項３又は４に記載のポンプ支持装置。
【請求項６】
前記本体には、水平方向に移動可能に取り付けられ、前記容器に当接する複数のストッパーが設けられていることを特徴としている請求項１乃至５のいずれか１つの項に記載のポンプ支持装置。
【発明の詳細な説明】
【技術分野】
【０００１】
本発明はポンプ支持装置に関し、特に、ドラム缶等の容器内に収容されたガソリン・灯油・軽油・水等の内容物を吸い上げるためのポンプを上部の高い位置で支持するためのポンプ支持装置に関する。
【背景技術】
【０００２】
一般に、レジャーボートやヨット等の船舶に対して給油を行う場合、マリーナ施設内の給油施設が利用されている。
【０００３】
しかし、マリーナ施設がない場合には、携行の２０Ｌ（リットル）のドラム缶を持ち上げて給油作業を行う必要があり、大変な時間と労力を必要とする。特に、保留されたボートでは、海上で行うために危険であった。通常レジャーボートでは１時間に３０Ｌ（リットル）前後のガソリンを消費する。そのため、１回出港して６時間ボートに乗る場合、１８０Ｌ（リットル）消費し、２０Ｌ（リットル）のドラム缶が９缶必要となる。
【０００４】
そのため、陸上でポンプを用いて給油作業を行うことが考えられるが、安定した状態で危険なく給油するために、ポンプを支持するポンプ支持装置が必要である。
【０００５】
従来のポンプ支持装置として、例えば特許文献１には、容器載置用の台座と、その台座の後部から支持管を起立する支持部材と、支持管内へ上下動自在に嵌合させた摺動杆の上部からアームを前方突出する摺動部材とからなり、台座上方のアーム部分へ垂直に縦型ポンプを設置する縦型ポンプ支持装置が提案されている。
【０００６】
縦形ポンプを使用する際は、縦形ポンプを付設した状態で摺動部材を引上げ、容器載置用台座内へ底部を嵌合させて液体を収納させた容器をセットする。その状態から摺動部材を下降させて容器上端から起立する口頸部の上部外面へアームの口頸部嵌合用筒を嵌合させ、作動部材の押下げヘッドを付勢に抗して押下げる。そして、作動部材を上下動させて、容器内の液体をシリンダ内へ吸い込み、シリンダ内の液体をノズルから噴出させる（以下、この技術を従来例という）。
【特許文献１】特開２００２−１６６２０３号公報
【発明の概要】
【発明が解決しようとする課題】
【０００７】
従来例では次のような課題がある。
【０００８】
（１）縦形ポンプを付設した状態で摺動部材を引上げた際、その状態を維持しながら容器を交換する場合、作業者は片手で摺動部材を持ちながら、容器をセットするか、他の作業者の助けが必要であり、容器の交換作業が面倒である。
【０００９】
（２）縦型ポンプのポンプ本体と容器とを直接連結しているので、縦型ポンプのポンプ本体は容器近傍の低い位置にある。そのため、作業者は屈みながらポンプを操作することになるため、作業しずらい。
【００１０】
（３）縦型ポンプのポンプ本体は容器近傍の低い位置にあるため、例えばレジャーボートやヨット等の船舶等のような高い位置への給油作業等が困難である。
【００１１】
本発明は、上記課題を上記課題を解決するためになされたものであり、容器の交換作業を容易にでき、かつポンプのポンプ本体を上部の高い位置で維持しながら作業を行うことができるポンプ支持装置を提供することを目的とする。
【課題を解決するための手段】
【００１２】
本発明のポンプ支持装置は、容器内の内容物を吸い上げるポンプを支持するポンプ支持装置において、
本体と、
前記本体に設けられ、前記容器の注入口に挿入される前記ポンプの吸上パイプを移動可能にガイドするとともに、前記ポンプのポンプ本体を固定するガイド部材と、
前記本体の上部に設けられ、前記ポンプを上側に持ち上げた状態で支持する支持部材と、
を有することを特徴とするものである。
【００１３】
前記ガイド部材には、前記ポンプ本体に設けられた第１の締結部と締結される第２の締結部を有してもよい。
【００１４】
前記支持部材は、前記本体の上部に固定して取り付けられた第１の支持杆と、その第１の支持杆に嵌合される第２の支持杆と、その第２の支持杆の側面に固定して取り付けられ、前記ポンプを支持する支持アームとを有してもよい。
【００１５】
前記第１の支持杆の側面に前記第２の支持杆を位置決めするための突起部が設けられ、前記第２の支持杆には前記突起部が挿入可能な切り欠き部が形成されていてもよい。
前記第１の支持杆の上部には、前記第２の支持杆の上側外面に当接する抜け止め部が設けられていてもよい。
前記本体には、水平方向に移動可能に取り付けられ、前記容器に当接する複数のストッパーが設けられていてもよい。
【発明の効果】
【００１６】
本発明によれば、次のような効果を奏する。
【００１７】
（１）支持部材によってポンプを持ち上げた状態を維持できるので、他の作業者の助けを必要とせず、一人の作業者だけで容器の交換作業を容易に行うことができる。
【００１８】
（２）ガイド部材によってポンプのポンプ本体を上部の高い位置で維持した状態で作業を行うことができるので、ポンプの操作がしやすく作業がしやすくなる。
（３）レジャーボートやヨット等の船舶のように足元が不安定な場所であっても陸上に置いたポンプ支持装置によって給油作業を安全に行うことができる。
【図面の簡単な説明】
【００１９】
【図１】本発明の実施形態例に係るポンプ支持装置を示す斜視図である。
【図２】本発明の実施形態例に係るポンプ支持装置によってポンプが支持されている状態を示す斜視図である。
【図３】ポンプ支持装置の第１のガイド部にポンプ本体を締結して固定している状態を示す縦断面図である。
【図４】（Ａ）は第２の支持杆及び支持アームを示す平面図、（Ｂ）は支持部材を示す縦断面図、（Ｃ）は第１の支持杆の突起部に第２の支持杆の切り欠き部が挿入されている状態を示す縦断面図、（Ｄ）は突起部と切り欠き部を示す正面図である。
【図５】（Ａ）は本発明の第２の実施形態例を示す平面図、（Ｂ）は（Ａ）のＶ−Ｖ線断面図である。
【発明を実施するための最良の形態】
【００２０】
以下、本発明の実施の形態について図面を参照して説明する。図１は本発明の実施形態例に係るポンプ支持装置を示す斜視図、図２は本発明の実施形態例に係るポンプ支持装置によってポンプが支持されている状態を示す斜視図、図３はポンプ支持装置の第１のガイド部にポンプ本体を締結して固定している状態を示す縦断面図、図４（Ａ）は第２の支持杆及び支持アームを示す平面図、（Ｂ）は支持部材を示す縦断面図、（Ｃ）は第１の支持杆の突起部に第２の支持杆の切り欠き部が挿入されている状態を示す縦断面図、（Ｄ）は突起部と切り欠き部を示す正面図である。
【００２１】
図１に示すように、本発明の実施形態例に係るポンプ支持装置Ａは、ドラム缶等の容器Ｃ内に収容されたガソリン・灯油・軽油・水等の内容物を吸い上げるためのポンプＰを上部で支持するものであり、本体１と、本体１に設けられ、容器Ｃの注入口Ｃ１に挿入されるポンプＰの吸上パイプ２を移動可能にガイドするとともに、ポンプＰのポンプ本体５を固定するガイド部材３と、本体１の上部に設けられ、ポンプＰを上側に持ち上げた状態で支持する支持部材４とを有する。
【００２２】
ポンプＰは、例えば市販されている手動式ハンドロータリーポンプであり、作業者Ｗがポンプ本体５に取り付けられたハンドル６を回転させることにより、容器Ｃ内の内容物を吸上パイプ２を介して吸い上げて、ホース７から排出するように構成されている。
【００２３】
本体１は、方形の角部の位置に間隔を隔ててそれぞれ配置された４つの第１の脚部８、第２の脚部９、第３の脚部１０及び第４の脚部１１を有する。
【００２４】
隣接する第１の脚部８及び第２の脚部９の上部及び中間部には、それぞれ第１の連結部１２及び第２の連結部１３が連結されている。
【００２５】
隣接する第３の脚部１０及び第４の脚部１１の上部及び中間部には、それぞれ第３の連結部１４及び第４の連結部１５が連結されている。
【００２６】
ガイド部材３は、本体１の第１の連結部１２と第３の連結部１４との間に設けられた板状の第１のガイド部１６と、本体１の第２の連結部１３と第４の連結部１５との間に設けられた板状の第２のガイド部１７とを有する。
【００２７】
第１のガイド部１６及び第２のガイド部１７には、それぞれポンプＰの吸上パイプ２が移動可能に挿入される第１の貫通孔１６ａ及び第２の貫通孔１７ａが形成されている。
【００２８】
図３に示すように、第１のガイド部１６の第１の貫通孔１６ａの外周には第２の締結部１９が設けられており、ポンプ本体５の下部に設けられた第１の締結部１８の内面と第２の締結部１９の外面とが螺着されて締結固定される。
【００２９】
図４に示すように、支持部材４は、本体１の第１の連結部１２に固定して取り付けられ、垂直方向に延びて形成された第１の支持杆２０と、その第１の支持杆２０に嵌合される第２の支持杆２１と、その第２の支持杆２１の側面に固定して取り付けられ、ポンプＰの吸上パイプ２を支持する支持アーム２２とを有する。
【００３０】
支持アーム２２の先端部には、吸上パイプ２を把持し、ポンプ本体５の第１の締結部１８の下部に当接する湾曲状に形成された把持部２２ａが形成されている。
【００３１】
図４（Ｂ）〜（Ｄ）に示すように、第１の支持杆２０の側面に第２の支持杆２１を位置決めするための突起部２３が設けられ、第２の支持杆２１には突起部２３が挿入可能な切り欠き部２４が形成されている。突起部２３が切り欠き部２４に挿入されることにより（図４（Ｃ）及び（Ｄ）参照）、第２の支持杆２１の移動が規制されて、ポンプＰを安定して支持することができる（図２参照）。
【００３２】
また、第１の支持杆２０の上部には、第２の支持杆２１の上側外面に当接する抜け止め部２５が設けられている。抜け止め部２５によって、第２の支持杆２１が上方に抜けるのを防止できる。
【００３３】
次に、本発明の実施形態例に係るポンプ支持装置Ａの動作について説明する。
【００３４】
図１に示すように、ドラム缶等の容器Ｃ内に収容されたガソリン・灯油・軽油・水等の内容物を吸い上げる場合、ポンプＰの吸上パイプ２を第１のガイド部１６の第１の貫通孔１６ａ及び第２のガイド部１７の第２の貫通孔１７ａに挿入し、吸上パイプ２の先端部を容器Ｃの注入口Ｃ１に差し込む。
【００３５】
次いで、ポンプ本体５の下部に設けられた第１の締結部１８の内面と第２の締結部１９の外面とを螺着して締結固定する。
【００３６】
その後、作業者ＷがポンプＰのハンドル６を回転することにより、容器Ｃ内の内容物を吸上パイプ２を介して吸い上げ、内容物をホース７から排出させる。
【００３７】
また、新しい容器Ｃに交換する場合、ポンプＰを持ち上げ、図２に示すように、ポンプＰの吸上パイプ２を支持部材４の支持アーム２２の把持部２２ａによって支持する。これによって、作業者Ｗが容器Ｃの交換作業を行うことができる。
【００３８】
本発明の実施形態例に係るポンプ支持装置Ａによれば、支持部材４によってポンプＰを持ち上げた状態を維持できるので、他の作業者の助けを必要とせず、一人の作業者Ｗだけで容器Ｃの交換作業を容易に行うことができる。
【００３９】
また、ガイド部材３によってポンプPのポンプ本体５を上部の高い位置で維持した状態で作業を行うことができるので、ポンプＰの操作がしやすく作業がしやすくなる。
【００４０】
レジャーボートやヨット等の船舶のように足元が不安定な場所であっても陸上に置いたポンプ支持装置Ａによって給油作業を安全に行うことができる。
【００４１】
なお、係留でボート等の船舶の給油口がポンプ支持装置Ａから離れている場合、ポンプＰのホース７の長さを最初から長くしておくのが好ましい。
【００４２】
また、本発明のポンプ支持装置Ａは種々の用途に利用可能である。例えば、マンション等では非常用電源としてディーゼル発電機を常備している場合が多いが、災害が起こった際は携行の２０Ｌのドラム缶で運ぶ場合が考えられるが、その際に簡易に給油できる本発明のポンプ支持装置Ａを利用することができる。
【００４３】
また、農業機械等の給油にも利用できる。
【００４４】
また、通常、大型のドラム缶（例えば２００Ｌ）に使用している手動ポンプであっても、本発明ポンプ支持装置Ａを用いれば、例えば２０Ｌのドラム缶にも容易に使用できる。
さらに、手動手回し用ポンプはガソリン用、ディーゼル用、水用のものがそれぞれあるが、ポンプ支持装置Ａの１台で全て利用できる。
【００４５】
図５（Ａ）は本発明の第２の実施形態例を示す平面図、（Ｂ）は（Ａ）のＶ−Ｖ線断面図である。
【００４６】
図５（Ａ）及び（Ｂ）に示すように、本発明の第２の実施形態例では、第２のガイド部１７の中間に直角かつ水平方向に延びた第３のガイド部２６が設けられ、第２のガイド部１７に水平方向に移動可能に取り付けられた第１のストッパー２７と、第３のガイド部２６に水平方向に移動可能に取り付けられた第２のストッパー２８とで容器Ｃの側面を当接することにより、容器Ｃを位置決めすることを特徴としている。
【００４７】
第２のガイド部１７及び第３のガイド部２６には、長手方向に延びて形成された第１のガイド溝１７ｂ及び第２のガイド溝２６ａがそれぞれ形成されている。
【００４８】
第１のストッパー２７（第２のストッパー２８）は、容器Ｃの側面に当接される方形状の当接板２９と、当接板２９の上部から垂直方向に延びて設けられ、第１のガイド溝１７ｂ（第２のガイド溝２６ａ）に移動可能に挿入されたネジ棒３０と、ネジ棒３０を第３のガイド部１７（第４のガイド部２６）に所定位置で締結固定するための一対のナット３１及びワッシャー３２とを有する。
【００４９】
本発明の第２の実施形態例によれば、第１のストッパー２７と第２のストッパー２８とで容器Ｃの側面を当接することにより、容器Ｃを位置決めすることができるので、容易Ｃを安定した状態で設置できる。
【００５０】
また、第１のストッパー２７と第２のストッパー２８は、水平方向に移動可能であるので、種々のサイズの容器Ｃに適宜対応することができる。
【００５１】
本発明は、上記実施の形態に限定されることはなく、特許請求の範囲に記載された技術的事項の範囲内において、種々の変更が可能である。
【００５２】
例えば、本発明は手動ポンプに適用されるが、自動ポンプにも適用可能である。
【００５３】
また、ヒンジなどを使って組み立て式に構成することにより、マンション等の非常時にしか使わない場合に狭い収納スペースでも収納できるようにしてもよい。
【産業上の利用可能性】
【００５４】
本発明のポンプ支持装置は、例えばドラム缶等の容器内に収容されたガソリン・灯油・軽油・水等の内容物を吸い上げるためのポンプのポンプ本体を上部の高い位置で支持するために用いられる。
【符号の説明】
【００５５】
Ａ：ポンプ支持装置
Ｃ：容器
Ｃ１：注入口
Ｐ：ポンプ
Ｗ：作業者
１：本体
２：吸上パイプ
３：ガイド部材
４：支持部材
５：ポンプ本体
６：ハンドル
７：ホース
８：第１の脚部
９：第２の脚部
１０：第３の脚部
１１：第４の脚部
１２：第１の連結部
１３：第２の連結部
１４：第３の連結部
１５：第４の連結部
１６：第１のガイド部
１７：第２のガイド部
１８：第１の締結部
１９：第２の締結部
２０：第１の支持杆
２１：第２の支持杆
２２：支持アーム
２３：突起部
２４：切り欠き部
２５：抜け止め部
２６：第３のガイド部
２７：第１のストッパー
２８：第２のストッパー
２９：当接板
３０：ネジ棒
３１：ナット
３２：ワッシャー
【図１】
2015030515.tif 000003
【図２】
2015030515.tif 000004
【図３】
2015030515.tif 000005
【図４】
2015030515.tif 000006
【図５】
2015030515.tif 000007